(57)【要約】【課題】必要な操作方法の表示を簡単な操作で行え、かつ記憶容量をそれほど必要としない、表示部を有する電子機器を提供する。【解決手段】取説ページ表示キー８ａが押下されると（ＳＴ１）、表示部７の両面に、機能と、その機能に関する説明の取説記載ページと、詳細ボタンからなる機能一覧リストを表示し（ＳＴ２）、オペレータが表示画面のいずれかの機能の詳細ボタンにタッチすると（ＳＴ３）、その詳細ボタンに対応する機能の操作手順を表示部７の画面に表示する（ＳＴ４）。オペレータは、この表示を見て、目的とする機能の操作手順を知る。オペレータは、詳細ボタンをタッチしないで、一覧リストの表示より、目的機能の紙取説の記載ページを知り、紙取説も参照できる。【選択図】　　　図２
2004145681.tif 000002
【特許請求の範囲】
【請求項１】
操作パネル上の所定キーの操作に基づいて、機能名・取説ページ番号の一覧を表示するとともに、その一覧画面において、機能名を選択すると、選択した機能に関する操作手順が表示されるようにしたことを特徴とする表示部を有する電子機器。
【請求項２】
前記表示される操作手順の内容は、紙取説の対応箇所に比べて簡易な内容であることを特徴とする請求項１記載の表示部を有する電子機器。
【請求項３】
操作パネル上のヘルプ検索画面表示指示キーの操作に基づいて、キーワード入力受付画面が表示され、キーワードを入力すると、それに対応した操作手順が表示されることを特徴とする表示部を有する電子機器。
【発明の詳細な説明】
【０００１】
【発明の属する技術分野】
この発明は、複写機、ファクシミリ装置、ファックス機能・コピー機能等の多機能を有する複合機、携帯電話器等、表示部を備えた電子機器に関する。
【０００２】
【従来の技術】
ファクシミリ装置、携帯電話器等は、多くの機能を備えている。これらの電子機器において、各種の機能を実現するために、それぞれの操作手順を習得する必要がある。そのため、これらの電子機器には、操作手順等を記載した取扱説明書（取説）が添付されている。しかしながら、操作方法がわからない場合、取説のどのページを見れば良いか分かり難いという問題があった。従来、この不便さを解決するために、機能コードを入力して表示指示を行い、取扱説明データ記憶手段から機能毎の取説説明データを取り出して表示する技術（例えば、特許文献１参照）や、記憶容量を減らすため、ヘルプキーを押下すると、目的の機能等を説明している取説ページ番号のみを表示する技術（例えば、特許文献２参照）が提案されている。
【０００３】
【特許文献１】
実開平４−４３０５８号公報
【０００４】
【特許文献２】
特開平７−２８１８５５公報
【０００５】
【発明が解決しようとする課題】
上記した特許文献１記載の技術では、機能コードを覚えておくか、記載したものを手元に置いておく必要がある上、詳細な取説のデータを記憶しておくには、記憶容量が大きくなるという問題がある。
【０００６】
また、特許文献２に記載の技術では、取説のページ番号しか表示しないため、近くに取説のない場合、それを参照できないという問題がある。
【０００７】
この発明は上記問題点に着目してなされたものであって、必要な操作方法の表示を簡単な操作で行え、かつ記憶容量をそれほど必要としない表示部を備えた電子機器を提供することを目的としている。
【０００８】
【課題を解決するための手段】
この発明の表示部を備えた電子機器は、操作パネル上の所定キーの操作に基づいて、機能名・取説ページ番号の一覧を表示するとともに、その一覧画面において、機能面を選択すると、選択した機能に関する操作手順が表示されるようにしている。所定キーとは、例えば取説ページ表示キー、ヘルプ検索キーなどである。
【０００９】
この発明の表示部を備えた電子機器において、前記表示される操作手順の内容は、冊子取説の対応箇所に比べて簡易な内容であると良い。
【００１０】
また、この発明の表示部を備えた電子機器は、操作パネル上のヘルプ検索画面表示指示キーの操作に基づいて、キーワード入力受付画面が表示され、キーワードを入力すると、それに対応した操作手順が表示されるものであっても良い。
【００１１】
【発明の実施の形態】
以下、実施の形態により、この発明をさらに詳細に説明する。図１は、この発明が実施されるファクシミリ装置の構成を示すブロック図である。
【００１２】
この実施形態ファクシミリ装置は、ＮＣＵ１と、ＭＯＤＥＭ２と、画像メモリ３と、ＲＡＭ４と、ＲＯＭ５と、主制御部（ＣＰＵ）６と、表示部７と、操作部８と、読み取り部９と、記録部１０と、ＬＡＮインターフェース１１と、バス１２を備えている。
【００１３】
ＮＣＵ１は、電話回線１３との接続を制御するとともに、相手先の電話番号（対応したダイヤル信号）の送出及び着信を検出するための機能を備えている。ＭＯＤＥＭ２は、ＩＴＵ−Ｔ勧告Ｔ．３０に従ったファクシミリ伝送制御手順に基づいて、Ｖ．１７、Ｖ．２７ｔｅｒ、Ｖ．２９等に従った送受信データの変調及び復調を行う。また、ＭＯＤＥＭ２は、ナンバーディスプレイ情報を受信するためにＶ２３の復調機能も備えている。画像メモリ３は、受信画像データや読み取り部９で読み取った原稿画像データを一時的に記憶する。ＲＡＭ４では、通信処理時、画像処理時に、データを一時的に記憶する。また、ＲＡＭ４には機能に応じた操作手順を呼び出すためのキーワードを記憶するキーワードメモリ４ａを有する。ＲＯＭ５は、ファクシミリ装置全体を制御するためのプログラムを記憶する。また、キーワードに応じた操作手順を記憶する操作手順メモリ５ａを有する。
【００１４】
主制御部６は、ＣＰＵで構成され、ＲＯＭ５に記憶されたプログラムに従い、ファクシミリ装置を構成する各部を制御する。表示部７は、ファクシミリ装置の動作状態等の各種情報を表示する。操作部８は、取説ページ表示キー８ａ、左右上下シフトキーからなる十字キー８ｂ、スタートキー８ｃ、テンキー８ｄ、その他のキーを備えている。読み取り部９は、原稿上の画像データを読み取って、白黒２値のイメージデータを出力する。記録部１０は、電子写真式のプリンタよりなり、受信画像データやコピー動作において読み取り部９で読み取った原稿の画像データを記録紙上に記録する。ＬＡＮインターフェース１１は、ＬＡＮネットワーク１４を介して外部のパソコン等に接続される。また、インターネットを介して、電子メールを送受信し得る。
【００１５】
この実施形態ファクシミリ装置における取説に関する表示処理を図２に示すフロー図を参照して説明する。ステップＳＴ１においては、操作部８の取説ページ表示キー８ａが押下された否か判定する。取説ページ表示キー８ａが押下されると、ステップＳＴ２へ移行する。ステップＳＴ２においては、例えば図３に示す画面を表示部７に表示する。この表示画面は、この実施形態ファクシミリ装置の有する機能名（ワンタッチ登録、同報通信、……）と、名機能に対応する説明が記載された取説のページ（１５、３０、……）と、「詳細」ボタンが各機能に対応して表示されている。オペレータは、この表示を見て、取説ページを知ることができるので、必要とする機能の説明された紙取説のページを開くことができる。また「詳細」ボタンをタッチして、その機能に関する操作手順を表示部７に表示することができる。図３に示す画面の表示後、ステップＳＴ３へ移行する。
【００１６】
ステップＳＴ３においては、詳細ボタンが操作（タッチ）されたか否か判定する。詳細ボタンが操作（タッチ）されると、ステップＳＴ４へ移行する。一方、詳細ボタンがタッチされないと、ステップＳＴ４をスキップして、ステップＳＴ５へ移行する。ステップＳＴ４においては、タッチした詳細ボタンに対応する機能の操作手順データをＲＯＭ５の操作手順メモリ５ａより読み出し、表示部７に表示する。次に、ステップＳＴ５へ移行する。ステップＳＴ５においては、取説ページ表示キー８ａが押下されたか否か判定する。取説ページ表示キー８ａが再度押下されない場合は、ステップＳＴ３へ戻る。一方、取説ページ表示キー８ａが再度押下されると、ステップＳＴ６へ移行する。ステップＳＴ６においては、表示部７の表示を消去し（又は表示内容を変更し）、操作手順参照処理を終了する。
【００１７】
他の実施形態として、図３に示した詳細ボタン、つまりタッチキーを使用せず、図４に示すように、表示部７には、機能名と取説ページのみを表示し、更には〔詳細〕マークも表示し、この〔詳細〕マークに対応して、操作部８のキー８ｐを設けても良い。各機能は、カーソル表示とし、十字キー８ｂの上キーあるいは下キーを操作して、カーソル表示位置を移動させ、キー８ｐの押下でカーソル表示位置の機能の操作手順をＲＯＭ５の操作手順メモリ５ａより読み出し、表示部７に表示しても良い。
【００１８】
次に、この発明の他の実施形態を図５に示すフロー図を参照して説明する。なお、図７に、この実施形態ファクシミリ装置における操作部８の操作面を示している。先ず、ステップＳＴ１１においては、ヘルプ検索キー８ａの押下を受け付ける。次に、ステップＳＴ１２へ移行する。ステップＳＴ１２においては、ヘルプ検索画面を表示部７に表示する。このヘルプ検索画面は、例えば、図６に示すものであり、キーワードの入力欄と“操作説明を参照したい機能に関するキーワードを入力してスタートキーを押して下さい。”の文字情報を表示している。オペレータは、この表示を見て、操作手順を知りたい機能を示すキーワードをテンキー８ｄなどより入力し、スタートキー８ｃを押下する。
【００１９】
ステップＳＴ１２に続く、ステップＳＴ１３においては、キーワードが入力され、スタートキー８ｃが押下されたか否か判定する。キーワードが入力され、スタートキー８ｃが押下されている場合には、ステップＳＴ１４へ移行する。ステップＳＴ１４においては、入力されたキーワードにより、ＲＡＭ４のキーワードメモリ４ａより、対応する操作手順を示すキーワードデータを検索する。そして、ステップＳＴ１５へ移行する。ステップＳＴ１５においては、入力したキーワードと一致する機能が記憶されているか否か判定する。一致するものがあれば、ステップＳＴ１６へ移行する。一方、一致しなければ、ステップＳＴ１７へ移行する。
【００２０】
ステップＳＴ１６においては、入力キーワードに対応した操作手順メモリ５ａ内の操作手順データを読み出し、表示部７に表示する。ステップＳＴ１７においては“入力したキーワードは、登録されていません。キーワードを確認の上、再度入力して下さい。”の文字情報を表示部７に表示する。そして、ステップＳＴ１３へ戻る。
【００２１】
なお、図２に示す実施形態では、取説ページ表示キーの押下により表示消去（処理終了）する内容（ＳＴ５）となっているが、その変形例として「操作部８上に専用の終了キーを配置する」又は「図３の「詳細」ボタンのように、表示部７の表示画面内に「終了」ボタンを設け、それをタッチすることで終了する。」又は「図４のように、画面内に「終了」マークを表示し、それに対応して操作部８上にキーを設ける。」こととしても良い。
【００２２】
また、図５に示す実施形態の変形例として、ステップＳＴ１３のキーワード入力では、キーワード入力の途中において（全文の入力が完了するまでにおいて）入力した文字を含む選択対象をリスト表示し、そのリスト中から必要な機能を選択可能としても良い。例えば、１文字目を入力すると、それを１文字目に含む機能名（キーワード）が五十音順又はアルファベット順でリスト表示され、そのリスト中から必要な機能を選択できる。この場合、入力（選択）したキーワードが存在しないということはないので、図５のＳＴ１５、ＳＴ１７（又は図５のＳＴ１４、ＳＴ１５、ＳＴ１７）は不要とする。
【００２３】
なお、上記実施形態はファクシミリ装置について説明したが、この発明は、これに限ることなく、複写機、携帯電話器、その他、表示部を有する電子機器に広く適用できる。
【００２４】
【発明の効果】
請求項１に係る発明によれば、操作パネル上の所定キーの操作に基づいて、機能名・取説ページ番号の一覧を表示するとともに、その一覧画面において、機能面を選択すると、選択した機能に関する操作手順が表示されるようにしているので、ページ番号を参照して、紙取説を見るか、取説内容の表示を指示して、表示部上に取説内容（操作方法）を指示するかをユーザが選択できる。
【００２５】
また、請求項２に係る発明によれば、表示される操作手順の内容は、紙取説の対応箇所に比べて簡易な内容であるので、取説の詳細を記憶するのに対し、記憶容量が少なくて済む。また、簡易内容を表示させるか、それより詳細な内容を紙取説にて参照するかを、ユーザが選択できる。つまり、ユーザが自分の知識に応じて最適なものを選択できる。
【００２６】
また、請求項３に係る発明によれば、操作パネル上のヘルプ検索画面表示指示キーの操作に基づいて、キーワード入力受付画面が表示され、キーワードを入力すると、それに対応した操作説明が表示されるので、操作手順を簡易に参照できる。
【図面の簡単な説明】
【図１】この発明の一実施形態であるファクシミリ装置の構成を示すブロック図である。
【図２】同実施形態ファクシミリ装置の取説に関する表示処理を説明するフロー図である。
【図３】同実施形態における操作説明タイトルの一覧表示例を示す図である。
【図４】他の同実施形態における操作説明タイトルの一覧表示例を示す図である。
【図５】この発明の他の実施形態ファクシミリ装置の取説に関する表示処理を説明するフロー図である。
【図６】同実施形態における操作説明タイトル選択のための表示例を示す図である。
【図７】同実施形態ファクシミリ装置の表示部及び操作部を示す図である。
【符号の説明】
１　　　　ＮＣＵ
２　　　　モデム
３　　　　画像メモリ
４　　　　ＲＡＭ
４ａ　　　キーワードメモリ
５　　　　ＲＯＭ
５ａ　　　操作手順メモリ
６　　　　主制御部
７　　　　表示部
８　　　　操作部
８ａ　　　取説ページ表示キー
８ｂ　　　十字キー
８ｃ　　　スタートキー
８ｄ　　　テンキー
９　　　　読み取り部
１０　　　記録部
１１　　　ＬＡＮＩ／Ｆ
１２　　　バス
【図１】
2004145681.tif 000003
【図２】
2004145681.tif 000004
【図３】
2004145681.tif 000005
【図４】
2004145681.tif 000006
【図５】
2004145681.tif 000007
【図６】
2004145681.tif 000008
【図７】
2004145681.tif 000009